(57)【要約】【課題】移送樋内の遊技球の移送を確実に止めことができるパチンコ遊技機の移送樋の球止装置を提供することを目的とする。【解決手段】賞球タンク５から送られ、移送樋６内を流下する遊技球の移送を停止させる移送樋６の球止装置１０である。移送樋６の下側に球止部材１１が回動可能に枢支され、球止部材１１には移送樋６の底壁７ａに設けた長孔７ｂから移送樋６内の通路７に進入する球止片１４が設けられる。球止部材１１は球止片１４を通路７の底壁７ａの長孔７ｂから押し上げるように通路７内に進入させて遊技球の移動を停止させる。【選択図】図４
2005348800.tif 000002
【特許請求の範囲】
【請求項１】
賞球タンクから送られ、移送樋内を流下する遊技球の移送を停止させるパチンコ遊技機の移送樋の球止装置において、
該移送樋の下側に球止部材が回動可能に枢支され、該球止部材には該移送樋の底壁に設けた長孔から移送樋内の通路に進入する球止片が設けられ、該球止部材は該球止片を該通路の底壁の長孔から押し上げるように該通路内に進入させて遊技球の移動を停止させることを特徴とするパチンコ遊技機の移送樋の球止装置。
【請求項２】
前記球止部材にはばね部材が装着され、該ばね部材によって該球止部材が、球止位置と非球止位置との間で回動し且つ球止位置と非球止位置の両位置で静止するように付勢されることを特徴とする請求項１記載のパチンコ遊技機の移送樋の球止装置。
【請求項３】
前記移送樋の上面に遊技球を均すためのカバー部が設けられ、該カバー部の底壁からの高さが、遊技球の直径の約１．５倍から約２倍の範囲に設定されたことを特徴とする請求項１記載のパチンコ遊技機の移送樋の球止装置。
【請求項４】
前記長孔は、前記移送樋の底壁に設けた塵を落とすための塵排出孔と兼用され、前記球止部材は取付部に対し支持軸を介して枢支され、該取付部が前記移送樋の底壁と一体に形成されたことを特徴とする請求項１記載のパチンコ遊技機の移送樋の球止装置。
【発明の詳細な説明】
【技術分野】
【０００１】
この発明は、パチンコ遊技機の移送樋の球止装置に関し、特に移送樋内の通路にその底壁の下側から球止片を進入させて、遊技球の流下を確実に止めることができる移送樋の球止装置に関する。
【背景技術】
【０００２】
パチンコ遊技機の機構板の上部には、賞球タンクが設けられ、島から送られる賞球はこの賞球タンクに入る。そして、賞球タンクに貯留された賞球は、その下部に接続された移送樋に整列して送出され、移送樋を略水平状態で移送された賞球は、その下流側の誘導レールを通りその下方に接続された賞球払出装置に送られる。そして、遊技球の入賞時には、賞球払出装置の動作により、所定数の賞球が払い出されるように構成される。
【０００３】
ところで、賞球払出装置を点検する際或は修理する際には、移送樋を移送される賞球を止める必要があるが、そのような際に、点検者などが手動で移送樋の賞球の流れを停止させる球止装置として、従来、下記の特許文献１に記載されるパチンコ機の移送樋の球止装置が知られている。
【０００４】
この従来の球止装置は、移送樋のレール部の上方に、１本の支持軸がレールの横断方向に取り付けられ、その支持軸に、略Ｌ字状に曲折した球止片を設けた球止部材が揺動可能に軸支され、球止付勢用のばね部材が支持軸に外嵌されて装着される。そして、球止部材は非球止操作時には球止片を移送樋の外側で安定して静止させる非球止静止位置を保持し、球止する際に球止部材を球止操作すると、ばね部材の付勢力により、球止部材がその球止片を移送樋の上方から内部に押下げるように進入させて、賞球の流下を止めるように構成されていた。
【特許文献１】特開平９−１７３５６１号公報
【発明の開示】
【発明が解決しようとする課題】
【０００５】
しかしながら、この種の従来の球止装置は、球止部材を停止操作した際、その球止片が、レール内を整列して送られてくるパチンコ球とパチンコ球の間に割り込むように進入した場合は問題が生じないが、球止操作時に、球止片の先端がパチンコ球の上部に当接して、球止片がレール内に完全に進入しないまま、球止片がパチンコ球をレール部の底壁との間で挟み込むと、球止部材が不完全に押し込み状態で停止する場合がある。この状態になると、球止部材がその球止片の先端で押えたパチンコ球が外れて排出され、或はレール部を送られる賞球の圧力により、球止部材が非球止位置まで押し戻され、球止動作が解除されてしまう課題があった。
【０００６】
この発明は、上述の課題を解決するものであり、移送樋内の遊技球の移送を確実に止めことができるパチンコ遊技機の移送樋の球止装置を提供することを目的とする。
【課題を解決するための手段】
【０００７】
本発明のパチンコ遊技機の移送樋の球止装置は、賞球タンクから送られ、移送樋内を流下する遊技球の移送を停止させるパチンコ遊技機の移送樋の球止装置において、移送樋の下側に球止部材が回動可能に枢支され、球止部材には移送樋の底壁に設けた長孔から移送樋内の通路に進入する球止片が設けられ、球止部材は該球止片を通路の底壁の長孔から押し上げるように通路内に進入させて遊技球の移動を停止させることを特徴とする。
【０００８】
ここで、上記球止装置は、球止部材にばね部材が装着され、ばね部材によって球止部材が、球止位置と非球止位置との間で回動し且つ球止位置と非球止位置の両位置で静止するように付勢することができる。
【０００９】
また、上記移送樋の上面には、遊技球を均すためのカバー部を設けることができ、カバー部の底壁からの高さを、遊技球の直径の約１．５倍から約２倍の範囲に設定することが好ましい。
【００１０】
また、上記長孔は、移送樋の底壁に設けた塵を落とすための塵排出孔と兼用し、球止部材は取付部に対し支持軸を介して枢支され、取付部を移送樋の底壁と一体に形成することができる。
【発明の効果】
【００１１】
上記構成の移送樋の球止装置は、通常時は、球止部材がその球止片を移送樋の通路内から外に退出した非球止状態を保持し、賞球タンク内から移送樋内に送られた遊技球は移送樋内の通路を整列状態で順に流下して、賞球払出装置に送られる。
【００１２】
賞球払出装置の点検時または修理時などに、移送樋の賞球の流下を停止する場合は、手動で球止部材を回動させ、その球止片を移送樋の底壁の長孔から通路内に進入させる。このとき、球止片の先端が通路内の遊技球に当たった場合でも、球止片の先端は下側から通路内に入るため、遊技球は球止片の前または後に容易に移動し、従来のように、遊技球は球止片の先端と底壁の間に挟まれることはなく、球止部材の球止片が遊技球と遊技球の間に確実に進入して、移送樋内の遊技球を確実に停止させることができる。また、球止部材の球止片の通路内への進入が中途で止まることはなく、流下する遊技球の圧力により球止部材が非球止位置に押し戻される不具合は防止される。
【００１３】
また、球止部材にばね部材を装着し、ばね部材によって球止部材が、球止位置と非球止位置との間で回動し且つ球止位置と非球止位置の両位置で静止するように付勢する構成とすれば、球止操作と球止解除操作を容易に行うことができる。
【００１４】
また、移送樋の上面に、遊技球を均すためのカバー部を設けた場合、カバー部の底壁からの高さを、遊技球の直径の約１．５倍から約２倍の範囲に設定すれば、遊技球がカバー部との間に挟まれる不具合を解消することができる。
【００１５】
また、長孔は、移送樋内の塵を落とすための塵排出孔と兼用し、球止部材は取付部に対し支持軸を介して枢支され、取付部を移送樋の底壁と一体に形成すれば、球止装置の構造を簡単化し、製造時の加工工数を少なくすることができる。
【発明を実施するための最良の形態】
【００１６】
以下、本発明の実施の形態を図面に基づいて説明する。図１はパチンコ遊技機の背面図を示している。図１において、１はパチンコ機の木枠で、木枠１の前には前面枠２が蝶番を介して開閉可能に装着され、前面枠２の前面には図示しないガラス扉を開閉可能に設けた金枠が取り付けられ、前面枠２の内側に遊技盤３が着脱可能に取り付けられる。また、遊技盤３の背面側に合成樹脂製の機構板４がヒンジを介して回動可能に装着されている。
【００１７】
この機構板４の背面側の上部には、払出用の賞球を貯留する賞球タンク５が取り付けられている。賞球タンク５の下側には、賞球タンク５の底部に接続して移送樋６が配設され、賞球タンク５に貯留された賞球を順に移送樋６に流下させるようにしている。移送樋６は、上流側を賞球タンク５に接続し、下流側を少し下方に傾斜させた状態で取り付けられ、移送樋６内には隔壁７ｄを隔てて２列の通路７が長手方向に沿って形成されている。
【００１８】
賞球を図１の左から右に自由流下させる移送樋６の通路７内における左端（先端）部付近の底壁７ａに、図４に示すごとく、長孔７ｂが長手方向に沿って形成されている。この長孔７ｂは、通路７内に入った塵を落とすための塵落とし用孔として、及び後述の球止装置１０の球止片を進入させるための挿入孔として、兼用に設けられている。
【００１９】
さらに、図４に示すように、移送樋６の通路７の底壁７ａの中央には、通路の流下方向にそって溝７ｃが直線状に形成され、賞球がこの通路７の底壁７ａを１列で流下する際、左右の壁との間に多少の隙間を保持しながら、その溝７ｃにそって賞球が直線的に流下するようにしている。上記２本の長孔７ｂは各通路７の溝７ｃ内に穿設されている。
【００２０】
さらに、この移送樋６の底壁７ａの長孔７ｂの下側に、移送樋６を流下する賞球を止めるための球止装置１０が配設されている。この球止装置１０は、手動操作により球止部材１１の先端の球止片１４を通路７内に進入させるもので、図２、図３に示すように、取付部１２と、その取付部１２の支持アーム１２ａに支持された支持軸１３と、その軸１３に回動可能に軸支された球止部材１１とを備えて構成されている。
【００２１】
球止部材１１は、板状本体の端部両側に球止片１４を突設し、板状本体の上部を支持軸１３に対し軸支して形成され、球止片１４は上記長孔７ｂに進入可能な程度の細さに形成され、板状本体に対して略くの字状に傾斜して突設されている。また、球止部材１１の板状本体の一側部と取付部１２の間にばね部材１５（コイルばね）がかけられている。
【００２２】
このばね部材１５は、球止部材１１を非球止位置（図６の上段図）と球止位置（図６の下段図）の両方の位置で安定して静止させるように取り付けられる。すなわち、ばね部材１５の一端は取付部１２に掛止され、ばね部材１５の他端は球止部材１１に掛止され、その球止部材１１の支持軸１３を支点とする回動時に、ばね部材１５が支持軸１３の軸心位置の前後で動くように装着されている。つまり、図２に示すように、ばね部材１５が支持軸１３の軸心位置より図２のように左側に位置するときは球止部材１１を非球止側に付勢し、ばね部材１５が支持軸１３の軸心位置より図３のように右側に位置するときは球止部材１１を球止側に付勢する構造としている。
【００２３】
移送樋６の先端部は、図４，５に示すように、２列の通路７が下方に曲折して開口し、移送樋６の通路７の開口端の下側に、球通路９を介して賞球払出装置８が機構板４に取り付けられ、移送樋６を流下した賞球は球通路９から賞球払出装置８に送られる構造である。
【００２４】
このような球止装置の取付部１２は、移送樋６の底壁７ａの下側位置の機構板４に、その支持軸１３を樋内の通路７の横断方向に向けて取り付けられ、その支持アーム１２ａと機構板４との間で、支持軸１３を保持して取り付けられる。そして、取り付けられた状態の球止装置の球止部材１１は、図６の反時計方向への回動時にその球止片１４を長孔７ｂから通路７内に進入させ、その回動端では、球止片１４の先端を通路７内で上流側に向け、球止部材１１の板状本体が底壁７ａに当接して停止するように取り付けられる。
【００２５】
上記構成の移送樋６の球止装置は、通常の遊技状態時には、図４に示すように、球止部材１１がその球止片１４を移送樋６の通路７内から外に位置する非球止状態を保持し、その状態はばね部材１５によって保持される（図６の上段図）。この非球止状態では、賞球タンク５内から移送樋６内に送られた遊技球は、移送樋６内の通路７を整列状態で順に流下して、賞球払出装置８に送られる。
【００２６】
一方、賞球払出装置８の点検時或は修理時などに、移送樋６の賞球の流下を停止する場合は、手動で球止部材１１を図６の反時計方向に回動させ、その球止片１４を移送樋６の底壁７ａに穿設した長孔７ｂから通路７内に進入させる（図６の中段図）。この球止部材１１の回動は、ばね部材１５の位置が支持軸１３の軸心位置を越えた位置からばね部材１５により付勢され、確実に停止位置に回動させることができる。
【００２７】
そして、球止部材１１の回動端近傍で、２本の球止片１４が底壁７ａの長孔７ｂから各通路７内に進入し、球止部材１１の板状本体の一部が底壁７ａに当接した状態となって、図６の下段図に示すように、球止片１４が上流側に斜め上方を向いて停止する。
【００２８】
このように、球止片１４が通路７に進入する際、通路７内の該当位置に、図６の中段図の如く遊技球が整列して位置し、球止片１４の先端が通路７内の遊技球に当たった場合、遊技球は球止片１４の前または後に容易に動き、これによって、遊技球が球止片１４と他の固定部との間で挟まれることはない。そして、球止部材１１は、その板状本体の一部が底壁７ａに当接したとき、球止片１４が上流側に斜め上方を向いて停止した状態となり、これによって通路７内に整列した遊技球は、図６の下段図のように、球止片１４に当たって停止する。
【００２９】
一方、移送樋６内の通路を非球止状態として遊技球の移動を再開する場合は、図６の下段図の状態から球止部材１１を図の時計方向に回動させ、球止片１４を通路７内から退出させる。このとき、球止部材１１の回動は、ばね部材１５の位置が支持軸１３の軸心位置を越えた位置からばね部材１５により時計方向に付勢され、図６の上段図のように非球止位置に確実に回動し、その状態を保持することができる。
【００３０】
このように、本球止装置によれば、球止部材１１の球止片１４を、移送樋６の下側から通路７内に進入させるため、つまり、底壁７ａに設けた長孔７ｂを通して、整列する遊技球の下側から通路７内に進入させるため、遊技球が球止片１４の先端と他の固定部との間に挟まれることはなく、球止部材１１の球止片１４が遊技球と遊技球の間に確実に進入する。したがって、球止部材１１の球止片１４が中途に通路７内に進入した状態で、遊技球の流下圧力により押し戻されるような現象は生じず、確実に移送樋内の遊技球を停止させることができる。
【００３１】
また、取付部１２と球止部材１１との間に装着したばね部材１５によって、球止部材１１が、球止位置と非球止位置との間で回動し且つ球止位置と非球止位置の両位置で静止するように付勢されるから、球止操作と球止解除操作を容易に行うことができると共に、それらの両操作状態を確実に保持することができる。また、球止片１４を進入させるための長孔７ｂは、移送樋６内の塵を落とすための塵排出孔と兼用できるため、加工工数などが少なく、安価に製作することができる。
【００３２】
図７は他の実施形態を示し、この実施形態では、移送樋６の下流側の先端部に、カバー部１６が通路７の上側開口部を覆うように取り付けられる。この通路７のカバー部１６は、通路７を多数の遊技球が流下してその先端部で重なり合う状態となった場合、それを均すために設けられるもので、上流側が少し上方に湾曲して形成されている。また、図７に示すように、このカバー部１６の底壁７ａからの高さｈは、遊技球の直径の約１．５倍から約２倍の範囲に設定される。このようにカバー部１６の高さｈを、遊技球の直径の約１．５倍から約２倍の範囲に設定することにより、遊技球が球止片１４の先端とカバー部１６との間に挟まれる不具合を解消することができる。また、多数の遊技球が流下して重なり合うような場合、それらの遊技球を良好に均して、遊技球が底壁７ａとカバー部１６との間に挟まれにくくすることができる。
【００３３】
なお、上記実施形態では、取付部１２を機構板４の表面に固定し、支持軸１３の一端を機構板４の表面に固定した支持部で軸支する構造としたが、取付部は移送樋６の底壁７ａと一体に形成することもでき、球止部材の支持軸はその両端を取付部に枢支させることもできる。これによれば、球止装置の構造を簡単化し、製造時の加工工数を少なくすることができる。
【００３４】
以上説明したように、本発明の移送樋の球止装置によれば、球止操作時に球止部材を回動させて、球止片の先端が通路内の遊技球に当たった場合でも、球止片の先端は下側から通路内に入るため、遊技球は球止片の前または後に容易に移動する。したがって、遊技球は球止片の先端と底壁の間に挟まれることはなく、球止部材の球止片が遊技球と遊技球の間に確実に進入して、移送樋内の遊技球を確実に停止させることができる。また、球止部材の球止片の通路内への進入が中途で止まることはなく、流下する遊技球の圧力により球止部材が非球止位置に押し戻される不具合を防止することができる。
【図面の簡単な説明】
【００３５】
【図１】本発明の一実施形態を示すパチンコ遊技機の背面図である。
【図２】同パチンコ遊技機の移送樋の球止装置の斜視図である。
【図３】同球止装置を球止位置に回動した状態の斜視図である。
【図４】移送樋の先端部における非球止状態の斜視図である。
【図５】移送樋の先端部において球止装置を球止位置に回動した状態の斜視図である。
【図６】球止装置の球止動作を順に示す正面説明図である。
【図７】他の実施形態の球止装置の正面説明図である。
【符号の説明】
【００３６】
５−賞球タンク
６−移送樋
７−通路
７ａ−底壁
７ｂ−長孔
１０−球止装置
１１−球止部材
１２−取付部
１３−支持軸
１４−球止片
１５−ばね部材
【図１】
2005348800.tif 000003
【図２】
2005348800.tif 000004
【図３】
2005348800.tif 000005
【図４】
2005348800.tif 000006
【図５】
2005348800.tif 000007
【図６】
2005348800.tif 000008
【図７】
2005348800.tif 000009